(57)【要約】      （修正有）【課題】内容物であるロール状に巻かれたロール紙を詰め替えて再利用することができ、ロール紙の引き出しと切断の操作が簡単な収納容器を提供する。【解決手段】帯状の紙を巻回してあるロール紙と、ロール紙を出し入れ自在に収納する本体と、本体の側面に開閉自在に取り付けた蓋部材とを備え、本体は一側面にロール紙の一端から外側に引き出すスリットを有し、スリットは２分割した本体の一方の分割部に形成してあり、ロール紙の引き出し方向に対して所定の隙間を有し、引き出し方向とは直角方向には上下方向の重なり部を有し、蓋部材は、スリットを覆うようにして一側縁部を本体に軸止し、開閉側の側縁部にカッターを有し、カッターはスリットが所定の距離を隔てた本体側部に位置している。【選択図】図１
0003129148.tif 000002
【実用新案登録請求の範囲】
【請求項１】
帯状の紙を巻回してあるロール紙と、当該ロール紙を出し入れ自在に収納する本体と、
本体の側面に開閉自在に取り付けた蓋部材とを備え、
本体は一側面にロール紙の一端から外側に引き出すスリットを有し、スリットは２分割した本体の一方の分割部に形成してあり、
蓋部材は、スリットを覆うようにして一側縁部を本体に軸止し、開閉側の側縁部にカッターを有し、カッターはスリットから所定の距離を隔てた本体側部に位置していることを特徴とするロール紙収納容器。
【請求項２】
帯状の紙を巻回してあるロール紙と、当該ロール紙を出し入れ自在に収納する本体と、
本体の側面に開閉自在に取り付けた蓋部材とを備え、
本体は一側面にロール紙の一端から外側に引き出すスリットを有し、スリットは２分割した本体の一方の分割部に形成してあり、ロール紙の引き出し方向に対して所定の隙間を有し、引き出し方向とは直角方向には上下方向の重なり部を有し、蓋部材は、スリットを覆うようにして一側縁部を本体に軸止し、開閉側の側縁部にカッターを有し、カッターはスリットから所定の距離を隔てた本体側部に位置していることを特徴とするロール紙収納容器。
【請求項３】
本体と２分割して形成したスリットのロール紙当接部は、スリット長手方向に対して直角方向に上下するゆるやかな曲線形状となっていることを特徴とする請求項２記載のロール紙収納容器。
【考案の詳細な説明】
【技術分野】
【０００１】
この考案は、帯状の紙を巻いて形成されたロール紙を引き出して使用可能な収納容器に関する。
【背景技術】
【０００２】
額や鼻等に分泌された余分な皮脂を吸い取る薄い脂取り紙等は、あらかじめ適宜な大きさに切断されたものや、ロール状に巻き取られているものを端部から引き出して適当な大きさに切断しながら使用されている。
このロール状に巻き取られている脂取り紙は、円筒状や長細い矩形のケースに収容され、ケースの長手方向に対して直角方向に脂取り紙が引き出されるスリットが形成され、このスリットの側縁部には、脂取り紙を切断するカッターが設けられていた。
【０００３】
しかし、ロール状の脂取り紙は、中身がなくなるとケースごと破棄していたが、資源を有効に利用するため詰め替え可能なものが求められている。
また、スリットにカッターが設けられている場合には、切断された脂取り紙の端部がスリットから常に短く露出し、脂取り紙に汚れが付着しやすいものであった。
脂取り紙の端部が何かに引っかかって自然に引き出されることもあった。
また、次に脂取り紙を引き出すとき、スリット内にある脂取り紙の端部は短いため、指でつかみにくく、引き出すのが面倒であり、脂取り紙を切断するときは、ロール状に巻き取られた脂取り紙が余分に引き出されてこないように気を付けながら切断しなければならず、切断が不完全な場合は脂取り紙が不必要に長く引き出されることもあった。
【考案の開示】
【考案が解決しようとする課題】
【０００４】
本考案は、内容物であるロール状に巻かれたロール紙を詰め替えて再利用することができ、ロール紙の引き出しと切断の操作が簡単な収納容器を提供することを目的とする。
【課題を解決するための手段】
【０００５】
本考案は、帯状の紙を巻回してあるロール紙と、当該ロール紙を出し入れ自在に収納する本体と、本体の側面に開閉自在に取り付けた蓋部材とを備え、本体は一側面にロール紙の一端から外側に引き出すスリットを有し、スリットは２分割した本体の一方の分割部に形成してあり、蓋部材は、スリットを覆うようにして一側縁部を本体に軸止し、開閉側の側縁部にカッターを有し、カッターはスリットから所定の距離を隔てた本体側部に位置していることを特徴とする。
また、好ましいロール紙収納容器の構造としては、帯状の紙を巻回してあるロール紙と、当該ロール紙を出し入れ自在に収納する本体と、本体の側面に開閉自在に取り付けた蓋部材とを備え、本体は一側面にロール紙の一端から外側に引き出すスリットを有し、スリットは２分割した本体の一方の分割部に形成してあり、ロール紙の引き出し方向に対して所定の隙間を有し、引き出し方向とは直角方向には上下方向の重なり部を有し、蓋部材は、スリットを覆うようにして一側縁部を本体に軸止し、開閉側の側縁部にカッターを有し、カッターはスリットから所定の距離を隔てた本体側部に位置していることを特徴とする。
【０００６】
また、本体と２分割して形成したスリットのロール紙当接部は、スリット長手方向に対して直角方向に上下するゆるやかな曲線形状となっていることを特徴とする
【考案の効果】
【０００７】
この考案の収納容器は、内容物であるロール紙を新しいものに詰め替えて繰り返し使用することができ経済的であり、ロール紙の切断も容易且つ確実に行なうことができる。
また、切断後の残りのロール紙の端部は、蓋部材に覆われて保護されているため、衛生的である。
さらに、切断されたロール紙の端部は、スリットから所定長さ引き出されているため次にロール紙を引き出す操作が容易である。
特に、本考案においては、スリットを、ロール紙の引き出し方向に対して所定の隙間を有し、引き出し方向とは直角方向には上下方向の重なり部を有するように形成することにより、脂取り紙等のロール紙を使用の際に引き出し、カッターで切り取る際に、重なり部が摺動抵抗になり、不用意にロール紙が引き出されるのを防止する。
さらに、スリットがスリット長手方向に対して直角方向に上下するゆるやかな曲線形状となっていると、ロール紙は蓋部材に押されて平らな平面になろうとするが、スリットの曲線が平面に対して抵抗になり、不用意な引き出しを抑える。
【考案を実施するための最良の形態】
【０００８】
以下、本考案の実施形態について図面に基づいて説明する。
図２にロール紙収納容器の外観図を示し、図１にロール紙収納容器の分解図を示す。
本考案に係るロール紙収納容器は、ロール紙１３として脂取り紙を収容する合成樹脂製であり中空の略直方体の本体１０と、本体１０に開閉自在に取り付けられている合成樹脂製の蓋部材２０とから成る。
そして、本体１０は二分割され、蓋部材２０が取り付けられている背面部材１１と、背面部材１１に対向して中空の本体１０を形成する前面部材１２から成る。
【０００９】
背面部材１１と前面部材１２とはそれぞれ長手方向両側に側壁を有する半円筒状の形状をしていて、この背面部材１１と前面部材１２とを嵌合して形成する内側中空部にロール紙１３を収納できるようになっている。
背面部材１１の長手方向両側の側壁のうち、一方の面には係合孔１１ｅを形成してあり、他方の面には凹部１１ｄを形成し、この凹部１１ｄに係合突部１１ｃを有している。
【００１０】
前面部材１２には、背面部材１１の係合孔１１ｅに対応して一方の側壁に係合爪１２ｅを有し、他方の側壁に弾性突片１２ｄとこの弾性突片１２ｄに係合孔１２ｃを設けてある。
これにより、本体１０にロール紙１３を収納する場合には、背面部材１１の係合孔１１ｅに前面部材１２の係合爪１２ｅを挿入し、前面部材１２の他方の長手方向側壁に形成した弾性突片１２ｄを背面部材１１の凹部１１ｄに沿って押し込むと、弾性突片１２ｄが背面部材１１の係合突部１１ｃを乗り越え、弾性突片１２ｄに設けた係合孔１２ｃが係合突部１１ｃに係合し、前面部材１２と背面部材１１とを容易に合体することができる。
逆に分解したい場合には弾性突片１２ｄを指先で引っ掛けるようにして係合突部１１ｃから離脱するだけで簡単に前面部材１２と背面部材１１とを分離できる。
なお、本考案において本体１０を２分割できるようにしたのは新しいロール紙（脂取り紙）を詰め替えるためである。
従って、図１に示した実施例のように前面部材１２と背面部材１１とを完全に二つに分離できる場合に限定するものではなく、例えば一方の側壁の係合孔１１ｅと係合爪１２ｅとの替わりに、可撓性のある連結部でつないで連結部を折り曲げて本体を２分割にしてもよい。
【００１１】
次にスリット形状について説明する。
スリットは２分割した本体の一方の分割部に形成してあり、図１及び図８に示すように、背面部材１１の分割部には長手方向に沿って、内側に下がった段差部１１ｆを形成した断面略Ｌ時型の背面スリット縁１１ａになっていて、前面部材１２の分割部は長手方向に沿って且つ、背面部材１１の段差部に突出した突片状の前面スリット縁１２ａになっている。
従って、図８に示すように、前面スリット縁１２ａと背面スリット縁１１ａとはロール紙の引き出し方向には所定の隙間ｄを有し、ロール紙の引き出し方向とは直角方向のスリット上下方向は重なり部ａを有している。
また、図８（ａ）に示すように前面スリット縁１２ａと背面スリット縁１１ａとはスリット長手方向に相互の重なり部ａを形成しながらわずかに曲線形状となっている。
なお、図８（ａ）においては分かりやすくするために曲線形状を極端に大きく表現してあるがロール紙を引き出す際に摺接抵抗となる程度にわずかな曲線でよい。
【００１２】
次に蓋部材２０の構造について説明する。
図１、図３及び図４に示すように、本体１０の背面部材１１の長手方向両側の側壁には軸止部１１ｂを形成してあり、蓋部材２０の長手方向両側に取付部２２を設けて両側の取付部２２で背面部材１１の両側の軸止部１１ｂを挟み込むようにして蓋部材２０の一側縁を取り付ける。
蓋部材２０の他の側縁である開閉側には三角形状突起刃のカッター２３を形成してある。
これにより蓋部材２０が閉じた際にはスリットを覆う状態になる。
蓋部材２０は本体１０の上面の曲面に合致した内側形状を有し、かつ長手方向両側の側壁は本体１０の長手方向側壁を外側から覆うようにして取り付けてある。
前面部材１２は上面から側面にかけて、曲面１２ｇを形成し、曲面１２ｇの側面下端には段差部１２ｆを有していてこの段差部１２ｆはカッター２３の刃先に対応している。
また、蓋部材２０の開閉側の両側の側壁には係止孔２４を有し、蓋部材２０が本体側に閉じた際には係止孔２４と係止突部１２ｂとが係止し、蓋部材が不用意に開かないようになっている。
【００１３】
図５〜図７を用いてロール紙を引き出して切り取る手順を説明する。
図５〜図７は図２Ａ−Ａ線での断面端面図を示し、ロール紙１３の位置を分かりやすくするために本体１０の上面と蓋部材２０の内側面との間の隙間を実際より大きく現し、断面を示す斜線も省略してある。
図５は脂取り紙を使用しない状態を示し、この状態ではスリット（１１ａ、１２ａ）と蓋部材２０のカッター２３との間に脂取り紙が本体１０から引き出した状態になっているが蓋部材２０で覆われているので衛生的によい。
脂取り紙を本体１０から引き出す場合には図６に示すように蓋部材２０を開いて脂取り紙の先端１３ａを持って必要な長さだけ引き出す。
次に図７に示したように蓋部材２０を閉じ、収納容器を傾けるようにすると脂取り紙１３ｂがカッター２３により切り取られる。
この脂取り紙をカッター２３で切り取る際にスリットを形成した背面スリット縁１１ａと前面スリット縁１２ａとが図８に示すように上下方向の重なり部を有し、スリット縁が緩やかなわずかではあるが曲線形状になっているのですべり抵抗となり不用意に脂取り紙が引き出されるの防止し、確実に必要な長さだけ切り取ることができる。
従来は、カッター刃が片側三角形状刃になっている場合、脂取り紙が刃に鋭角に当たるように脂取り紙を引く場合には比較的切り取りやすいがカッターへの当たり角度が弱いと刃先からすべるように脂取り紙が不用意に引き出される場合があったが本考案ではスリット部にすべり抵抗機能を付加したので脂取り紙を簡単に切り取ることができ、脂取り紙の無駄使いを防止できる。
【図面の簡単な説明】
【００１４】
【図１】本考案に係るロール紙収納容器の分解図を示す。
【図２】本考案に係るロール紙収納容器の外観斜視図を示す。
【図３】蓋部材を閉じた状態の側面視を示す。
【図４】蓋部材を開いた状態の側面視を示す。
【図５】蓋部材を閉じた状態のＡ−Ａ線断面端面図を示す。
【図６】蓋部材を開いた状態を示す。
【図７】ロール紙（脂取り紙）を切り取る状態を示す。
【図８】スリットの拡大図を示す。（ａ）は正面視、（ｂ）は断面図を示す。
【符号の説明】
【００１５】
１０      本体
１１      背面部材
１１ａ    背面スリット縁
１２      前面部材
１２ａ    前面スリット縁
１３      ロール紙
２０      蓋部材
２２      取付部
２３      カッター
２４      係止孔
【図１】
0003129148.tif 000003
【図２】
0003129148.tif 000004
【図３】
0003129148.tif 000005
【図４】
0003129148.tif 000006
【図５】
0003129148.tif 000007
【図６】
0003129148.tif 000008
【図７】
0003129148.tif 000009
【図８】
0003129148.tif 000010